【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を光学素子によりスリットのスリット面上、もしくはその近傍に集光させた後、同期検出素子に導光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該スリットとの間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴とするマルチビーム走査光学系。
【請求項２】
前記同期検出素子に導光される各光束が該同期検出素子に入射し始めるそれぞれの瞬間において、各光束の主走査方向の光束幅が前記第１の光束制限素子によって決定されることを特徴とする請求項１記載のマルチビーム走査光学系。
【請求項３】
前記第１の光束制限素子は前記偏向手段と前記同期検出用光学手段に用いられている最も偏向手段側の屈折もしくは回折を促す光学素子との間に設けられていることを特徴とする請求項１又は２記載のマルチビーム走査光学系。
【請求項４】
前記第１の光束制限素子は前記同期検出用光学手段に用いられている最も同期検出素子側の屈折もしくは回折を促す光学素子と前記スリットとの間に設けられていることを特徴とする請求項１又は２記載のマルチビーム走査光学系。
【請求項５】
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を走査光学手段とは光学的に独立して設けられている光学素子によりスリットのスリット面上、もしくはその近傍に集光させた後、同期検出素子に導光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該スリットとの間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴とするマルチビーム走査光学系。
【請求項６】
前記同期検出素子に導光される各光束が該同期検出素子に入射し始めるそれぞれの瞬間において、各光束の主走査方向の光束幅が前記第１の光束制限素子によって決定されることを特徴とする請求項５記載のマルチビーム走査光学系。
【請求項７】
前記入射光学手段に設けられた副走査方向にのみ光学的な作用を促す光学素子と、前記同期検出用光学手段に設けられた屈折もしくは回折を促す光学素子とが一体となって複合光学素子を形成していることを特徴とする請求項５又は６記載のマルチビーム走査光学系。
【請求項８】
前記第１の光束制限素子は前記偏向手段と前記同期検出用光学手段に用いられている最も偏向手段側の屈折もしくは回折を促す光学素子との間に設けられていることを特徴とする請求項５、６又は７記載のマルチビーム走査光学系。
【請求項９】
前記第１の光束制限素子と前記第２の光束制限素子とを一体にして設けたことを特徴とする請求項５、６、７又は８記載のマルチビーム走査光学系。
【請求項１０】
前記複合光学素子は前記同期検出用光学手段の光軸方向に可動可能とし、前記被走査面上における副走査断面内の光束の状態を調整していることを特徴とする請求項７、８又は９記載のマルチビーム走査光学系。
【請求項１１】
前記第１の光束制限素子は、前記同期検出素子に光束を導光する折り返しミラーであることを特徴とする請求項５、６、７、８又は１０記載のマルチビーム走査光学系。
【請求項１２】
前記第１の光束制限素子は、前記同期検出素子に光束を導光する折り返しミラーを保持する折り返しミラー保持部材であることを特徴とする請求項５乃至１０の何れか１項に記載のマルチビーム走査光学系。
【請求項１３】
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を光学素子により同期検出素子の受光面、もしくはその近傍に集光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該同期検出素子の受光面との間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴とするマルチビーム走査光学系。
【請求項１４】
前記同期検出素子に導光される各光束が該同期検出素子に入射し始めるそれぞれの瞬間において、各光束の主走査方向の光束幅が前記第１の光束制限素子によって決定されることを特徴とする請求項１３記載のマルチビーム走査光学系。
【請求項１５】
前記第１の光束制限素子は前記偏向手段と前記同期検出用光学手段に用いられている最も偏向手段側の屈折もしくは回折を促す光学素子との間に設けられていることを特徴とする請求項１３又は１４記載のマルチビーム走査光学系。
【請求項１６】
前記第１の光束制限素子は前記同期検出用光学手段に用いられている最も同期検出素子側の屈折もしくは回折を促す光学素子と前記受光面との間に設けられていることを特徴とする請求項１３又は１４記載のマルチビーム走査光学系。
【請求項１７】
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を走査光学手段とは光学的に独立して設けられている光学素子により同期検出素子の受光面、もしくはその近傍に集光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該同期検出素子の受光面との間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴とするマルチビーム走査光学系。
【請求項１８】
前記同期検出素子に導光される各光束が該同期検出素子に入射し始めるそれぞれの瞬間において、各光束の主走査方向の光束幅が前記第１の光束制限素子によって決定されることを特徴とする請求項１７記載のマルチビーム走査光学系。
【請求項１９】
前記入射光学手段に設けられた副走査方向にのみ光学的な作用を促す光学素子と、前記同期検出用光学手段に設けられた屈折もしくは回折を促す光学素子とが一体となって複合光学素子を形成していることを特徴とする請求項１７又は１８記載のマルチビーム走査光学系。
【請求項２０】
前記第１の光束制限素子は前記偏向手段と前記同期検出用光学手段に用いられている最も偏向手段側の屈折もしくは回折を促す光学素子との間に設けられていることを特徴とする請求項１７、１８又は１９記載のマルチビーム走査光学系。
【請求項２１】
前記第１の光束制限素子と前記第２の光束制限素子とを一体にして設けたことを特徴とする請求項１７，１８，１９又は２０記載のマルチビーム走査光学系。
【請求項２２】
前記複合光学素子は前記同期検出用光学手段の光軸方向に可動可能とし、前記被走査面上における副走査断面内の光束の状態を調整していることを特徴とする請求項１９、２０又は２１記載のマルチビーム走査光学系。
【請求項２３】
前記第１の光束制限素子は、前記同期検出素子に光束を導光する折り返しミラーであることを特徴とする請求項１７、１８、１９、２０又は２２記載のマルチビーム走査光学系。
【請求項２４】
前記第１の光束制限素子は、前記同期検出素子に光束を導光する折り返しミラーを保持する折り返しミラー保持部材であることを特徴とする請求項１７乃至２２の何れか１項に記載のマルチビーム走査光学系。
【請求項２５】
前記光源手段は複数の発光部が各々独立に設けられていることを特徴とする請求項１乃至２４の何れか１項に記載のマルチビーム走査光学系。
【請求項２６】
前記光学素子は、前記走査光学手段を構成する部材であることを特徴とする請求項１又は１３記載のマルチビーム走査光学系。
【請求項２７】
請求項１乃至２６の何れか１項に記載のマルチビーム走査光学系と、前記被走査面に配置された感光体と、前記マルチビーム走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項２８】
請求項１乃至２６の何れか１項に記載のマルチビーム走査光学系と、外部機器から入力したコードデータを画像信号に変換して前記マルチビーム走査光学系に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
【課題を解決するための手段】
請求項１の発明のマルチビーム走査光学系は、
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を光学素子によりスリットのスリット面上、もしくはその近傍に集光させた後、同期検出素子に導光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該スリットとの間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴としている。


【手続補正３】
【補正対象書類名】明細書
【補正対象項目名】００１７
【補正方法】変更
【補正の内容】
【００１７】
請求項５の発明のマルチビーム走査光学系は、
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を走査光学手段とは光学的に独立して設けられている光学素子によりスリットのスリット面上、もしくはその近傍に集光させた後、同期検出素子に導光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該スリットとの間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴としている。


【手続補正４】
【補正対象書類名】明細書
【補正対象項目名】００２５
【補正方法】変更
【補正の内容】
【００２５】
請求項１３の発明のマルチビーム走査光学系は、
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を光学素子により同期検出素子の受光面、もしくはその近傍に集光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該同期検出素子の受光面との間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴としている。


【手続補正５】
【補正対象書類名】明細書
【補正対象項目名】００２９
【補正方法】変更
【補正の内容】
【００２９】
請求項１７の発明のマルチビーム走査光学系は、
光源手段と、該光源手段から射出した複数の光束を偏向手段に導光する入射光学手段と、該偏向手段により偏向された複数の光束を被走査面上に結像させる走査光学手段と、該偏向手段により偏向された複数の光束を走査光学手段とは光学的に独立して設けられている光学素子により同期検出素子の受光面、もしくはその近傍に集光し、該同期検出素子からの信号を用いて該被走査面上の走査開始のタイミングを該複数の光束に対して制御する同期検出用光学手段と、を有するマルチビーム走査光学系において、
前記複数の光束のうち少なくとも２つの光束は主走査断面内で互いに異なる角度で、前記偏向手段の偏向面に入射しており、
該偏向手段と該同期検出素子の受光面との間に第１の光束制限素子を設けており、
該入射光学手段は第２の光束制限素子を有し、該第２の光束制限素子から該偏向手段における偏向点までの距離をｄ[mm]、該複数の光束の発光部間の主走査方向の距離の最大値をｗ[mm]、該入射光学手段の主走査断面内の焦点距離をｆｎ[mm]、該走査光学手段の主走査断面内の焦点距離をｆｓ[mm]としたとき、
（ｄ・ｗ）／(ｆｎ・ｆｓ)＜０.００３
の条件式を満足することを特徴としている。


【手続補正６】
【補正対象書類名】明細書
【補正対象項目名】００３７
【補正方法】変更
【補正の内容】
【００３７】
請求項２５の発明は請求項１乃至２４の何れか１項の発明において、
前記光源手段は複数の発光部が各々独立に設けられていることを特徴としている。
請求項２６の発明は請求項１又は１３の発明において、
前記光学素子は、前記走査光学手段を構成する部材であることを特徴としている。
【手続補正７】
【補正対象書類名】明細書
【補正対象項目名】００３８
【補正方法】変更
【補正の内容】
【００３８】
請求項２７の発明の画像形成装置は、
請求項１乃至２６の何れか１項に記載のマルチビーム走査光学系と、前記被走査面に配置された感光体と、前記マルチビーム走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。


【手続補正８】
【補正対象書類名】明細書
【補正対象項目名】００３９
【補正方法】変更
【補正の内容】
【００３９】
請求項２８の発明の画像形成装置は、
請求項１乃至２６の何れか１項に記載のマルチビーム走査光学系と、外部機器から入力したコードデータを画像信号に変換して前記マルチビーム走査光学系に入力せしめるプリンタコントローラとを有していることを特徴としている。


【手続補正９】
【補正対象書類名】明細書
【補正対象項目名】００７５
【補正方法】変更
【補正の内容】
【００７５】
８はＢＤ集光レンズ（光学素子）であり、走査光学手段６を構成する部材より成り、主走査方向及び副走査方向に所定のパワーを有しており、後述するＢＤセンサー１０の近傍に設けたＢＤスリット９面上、もしくはその近傍に同期信号検知用の複数の光束（ＢＤ光束）を結像（集光）させている。尚、本実施形態におけるＢＤ集光レンズ８は走査光学手段６と一体的に構成されているが、独立して設けても良い。


【手続補正１０】
【補正対象書類名】明細書
【補正対象項目名】００８４
【補正方法】変更
【補正の内容】
【００８４】
このとき感光ドラム面７上を光走査する前に該感光ドラム面７上の走査開始位置のタイミングを調整する為に、光偏向器５で反射偏向された２つの光束をＢＤ集光レンズ８によりＢＤ絞り１３を通し、ＢＤミラー１２を介して主走査断面に対しＢＤスリット９面上に集光させた後、ＢＤ共役レンズ１１を通しＢＤセンサー１０に導光している。そしてＢＤセンサー１０からの出力信号を検知して得られた同期信号（ＢＤ信号）を用いて感光ドラム面７上への画像記録の走査開始位置のタイミングを各ＢＤ光束に対して調整している。